(57)【要約】透明な基板（１１）上に設けられ特定の波長の光を発光する発光層（１４）と、前記発光層（１４）に対して光の出射側に形成されかつ発光層（１４）から発光される光を反射する機能を有するミラー層（１７）と、ミラー層（１７）とで発光層（１４）を挟むように基板（１１）側に設けた反射層（１８）とを備えたもので、ミラー層（１７）と反射層（１８）との間に、発光層（１４）から発光される光を拡散させる拡散層を配置した。
2012035759.tif 000002
【特許請求の範囲】
【請求項１】
特定の色の光を発光する発光手段を備え、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とするバックライト装置。
【請求項２】
前記発光手段からの光のうちの一部の光を透過するとともに、前記透過した光と混色することで白色の光となる特定の色の光に変換する波長変換手段とを備えたことを特徴とする請求項１に記載のバックライト装置。
【請求項３】
前記発光ダイオードの拡散層は、前記第１の反射層または第２の反射層と、前記発光層との間に配置したことを特徴とする請求項１に記載のバックライト装置。
【請求項４】
前記発光ダイオードの拡散層は、第２の反射層に前記発光層から発光される光を拡散させる拡散機能を設けることにより構成したものであることを特徴とする請求項１に記載のバックライト装置。
【請求項５】
前記発光ダイオードの第１の反射層は、出射角が６５度以上に透過率のピークが存在するように構成したことを特徴とする請求項１に記載のバックライト装置。
【請求項６】
前記発光ダイオードの第１の反射層は、誘電体多層膜で構成したことを特徴とする請求項１に記載のバックライト装置。
【請求項７】
前記誘電体多層膜は、屈折率の異なる第１の誘電体および第２の誘電体から構成され、それぞれの光学膜厚は発光層からの光の第１の誘電体および第２の誘電体の中での波長の１／４近傍であることを特徴とする請求項５に記載のバックライト装置。
【請求項８】
前記発光手段は、発光主波長が４３０ｎｍ〜４８０ｎｍの青色の光を発光する青色の発光ダイオードであり、前記波長変換手段は、前記青色の発光ダイオードによって励起されかつ青色の光と混色することで白色の光となる特定色の光を発光する蛍光体膜を有するものである請求項２に記載のバックライト装置。
【請求項９】
前記発光手段は、発光主波長が３５０ｎｍ〜４００ｎｍの紫外の光を発光する発光ダイオードであり、前記波長変換手段は、前記紫外の発光ダイオードによって励起されかつ赤色、青色、緑色の光を発光する蛍光体膜を有するものである請求項２に記載のバックライト装置。
【請求項１０】
前記波長変換手段は、光度の極大値を有する角度近傍において厚みが厚くなるように構成した請求項２に記載のバックライト装置。
【請求項１１】
特定の色の光を発光する発光手段を備えたバックライト装置と、前記バックライト装置からの出射光を背面側から入射し画像を表示する液晶パネルとを備えた液晶表示装置であって、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする液晶表示装置。
【請求項１２】
前記バックライト装置は、前記発光手段から発光される光のうち一部の光を透過するとともに、前記透過した光と混色することで白色の光となる特定の色の光に変換する波長変換手段を備えたことを特徴とする請求項１１に記載の液晶表示装置。
【請求項１３】
前記発光ダイオードの拡散層は、前記第１の反射層または第２の反射層と、前記発光層との間に配置したことを特徴とする請求項１１に記載の液晶表示装置。
【請求項１４】
前記発光ダイオードの拡散層は、第２の反射層に前記発光層から発光される光を拡散させる拡散機能を設けることにより構成したものであることを特徴とする請求項１１に記載の液晶表示装置。
【請求項１５】
透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする発光ダイオード。
【請求項１６】
前記拡散層は、前記第１の反射層または第２の反射層と、前記発光層との間に配置したことを特徴とする請求項１５に記載の発光ダイオード。
【請求項１７】
前記拡散層は、第２の反射層に前記発光層から発光される光を拡散させる拡散機能を設けることにより構成したものであることを特徴とする請求項１５に記載の発光ダイオード。
【請求項１８】
前記拡散層は、第２の反射層の表面に光を拡散させるとともに反射させる凹凸構造を設けて構成したことを特徴とする請求項１５に記載の発光ダイオード。
【請求項１９】
前記第１の反射層は、出射角が６５度以上に透過率のピークが存在するように構成したことを特徴とする請求項１５に記載の発光ダイオード。
【発明の詳細な説明】
【技術分野】
【０００１】
本発明は、バックライト装置、およびそのバックライト装置を用いた液晶表示装置、およびそれらに用いる発光ダイオード（以下、ＬＥＤという）に関する。
【背景技術】
【０００２】
大型の液晶ディスプレイ装置のバックライト装置では、冷陰極管が液晶パネルの直下に多数配置されていた。そして、この冷陰極管は、冷陰極管の発光を液晶パネル側に反射する反射板や、冷陰極管から発せられる発光を拡散させて面光源とする拡散板等の部材と共に使われていた。【０００３】
近年、この種のバックライト装置の光源として、発光ダイオードが使用されるようになっている。発光ダイオードは、近年、効率が向上し、蛍光灯に変わる消費電力の少ない光源として期待されている。また液晶ディスプレイ装置用の光源として発光ダイオードを用いた場合、映像に応じて発光ダイオードの明暗を制御することで、液晶表示装置の消費電力を下げることができる。【０００４】
ところで、液晶表示装置用の発光ダイオードとしては、活性層にＧａＮ系の半導体を用いた青色発光ダイオードに蛍光体を組み合わせる方式のものが主流になりつつある。【０００５】
図１５は、特許文献１に示されているＧａＮ系の発光ダイオードの構成を示す図である。図１５に示すように、発光ダイオードは、サファイア基板３１の上にバッファ層（図示せず）を介して、ｎ型のＧａＮ膜よりなるｎ型コンタクト層３２およびｎ型クラッド層３３が形成されている。ｎ型クラッド層３３の上には、ＩｎＧａＮ膜よりなる発光層３４が構成されており、発光層３４の上には、ｐ型のＡｌＧａＮ膜よりなるｐ型クラッド層３５とｐ型のＧａＮ膜よりなるｐ型コンタクト層３６が下から順に構成されている。ｎ型コンタクト層３２の上にはｎ型電極３７が形成されていると共に、ｐ型コンタクト層３６の上にはｐ型電極３８が形成されている。ｎ型電極３７とｐ型電極３８の間に電圧を印加することにより、発光層３４が発光する。【０００６】
特許文献１に示すような発光ダイオードでは、発光ダイオードのチップの正面方向に最も多くの光が発光しており、レンズを用いて、光軸近傍の凹面でチップからの正面方向に向かう光を屈折により発散させることにより、被照射面における光軸近傍の照度を抑えて広がりのある照度分布にすることができる。【０００７】
本発明は、広配光の発光特性を有する発光ダイオードを提供し、この発光ダイオードを用いることによって、安価で高効率のバックライト装置を提供し、このバックライト装置を用いることによって、画質向上を図った液晶表示装置を提供することを目的としている。
【先行技術文献】
【特許文献】
【０００８】
【特許文献１】特開２００１−７３９９号公報
【発明の概要】
【０００９】
本発明のバックライト装置は、特定の色の光を発光する発光手段を備え、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする。
【００１０】
本発明の液晶表示装置は、特定の色の光を発光する発光手段を備えたバックライト装置と、前記バックライト装置からの出射光を背面側から入射し画像を表示する液晶パネルとを備えた液晶表示装置であって、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする。
【００１１】
本発明の発光ダイオードは、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする。
【００１２】
上記構成のバックライト装置によれば、安価で高効率、かつ、色むらの少ないバックライト装置を得ることができる。
【００１３】
また、上記構成の液晶表示装置によれば、画質向上を図れる液晶表示装置を得ることができる。
【００１４】
また、上記構成の発光ダイードによれば、広配光の発光特性を有する発光ダイオードを得ることができる。
【図面の簡単な説明】
【００１５】
【図１】図１は、本発明の一実施の形態による直下型バックライト装置の概略構成を示す斜視図である。
【図２】図２は、同バックライト装置を用いた液晶表示装置の概略構成を示す断面図である。
【図３】図３は、同バックライト装置に用いるＬＥＤの構造を示す断面図である。
【図４】図４は、同ＬＥＤのＬＥＤチップの構造を模式的に示す断面図である。
【図５】図５は、同ＬＥＤチップのミラー層の構造を模式的に示す断面図である。
【図６】図６は、同ＬＥＤから出射される光の相対光度の角度特性を示す図である。
【図７】図７は、同ＬＥＤの他の例によるＬＥＤチップの構造を模式的に示す断面図である。
【図８】図８は、同ＬＥＤの他の例によるＬＥＤチップの構造を模式的に示す断面図である。
【図９】図９は、同ＬＥＤの青色光と蛍光体からの黄色光の光度の角度特性を示す図である。
【図１０】図１０は、同ＬＥＤから出射される青色光の０度と６０度の発光スペクトルを示す図である。
【図１１】図１１は、黄色の蛍光体の吸収スペクトルの一例を示す図である。
【図１２Ａ】図１２Ａは、ＬＥＤの蛍光体層透過後の０度方向の白色光スペクトルの一例を示す図である。
【図１２Ｂ】図１２Ｂは、ＬＥＤの蛍光体層透過後の６０度方向の白色光スペクトルの一例を示す図である。
【図１３】図１３は、紫外光のＬＥＤと赤色、青色、緑色蛍光体の混色による白色ＬＥＤのスペクトルの一例を示す図である。
【図１４】図１４は、本発明の他の実施の形態によるバックライト装置を用いた液晶表示装置の概略構成を示す断面図である。
【図１５】図１５は、従来のＬＥＤのＬＥＤチップの構造を模式的に示す断面図である。
【発明を実施するための形態】
【００１６】
以下、本発明の一実施の形態によるバックライト装置ついて、図面を用いて説明する。
【００１７】
本実施の形態によるバックライト装置は、直下型バックライト装置である。
【００１８】
図１は本発明の一実施の形態による直下型バックライト装置の概略構成を示す斜視図であり、図２は図１に示す直下型バックライト装置を用いた液晶表示装置の概略構成を示す断面図である。なお、図２は、図１のｘ−ｙ平面におけるＬＥＤの光軸を含む位置での概略断面を示している。ここで、図１、図２において、ｘ軸の方向を「横方向」と呼び、直下型バックライト装置１の光の出射方向であるｙ軸の正の方向を「正面方向」、ｙ軸の負の方向を「背面方向」と呼び、ｚ軸の正の方向を「上方向」、ｚ軸の負の方向を「下方向」と呼ぶ。
【００１９】
図１、図２に示すように、直下型バックライト装置１は、複数個のＬＥＤ２がマトリックス状に均等間隔で配列されるように反射板３の前面に配置されている。そしてＬＥＤ２の正面方向側には、ＬＥＤ２との間に間隔をあけて、各種の光学シートが配置されている。すなわち、ＬＥＤ２の正面方向側には、拡散シート４と波長変換シート５と輝度上昇シート６が配置されている。
【００２０】
拡散シート４は、ＬＥＤ２からの光および反射板３により反射された光を拡散させ、面光源を形成するための拡散部材である。波長変換シート５は、拡散シート４を通して入射される光のうち、その一部の光を透過させ、透過させた光と混色することによって例えば白色の光のような、特定の色の光に変換する波長変換手段である。輝度上昇シート６は、出射面の法線方向に向けて集光して出射することによって出射光の正面輝度を上昇させるものである。
【００２１】
このＬＥＤ２は、直下型バックライト装置１の構成によって適宜最適な数および間隔で配置される。例えば、直下型バックライト装置１の大きさ、厚み、ＬＥＤ２の配光特性等に応じて決定される。
【００２２】
また、この直下型バックライト装置１は、輝度上昇シート６の正面方向側の面を光の出射面として、白色の面状光を出射する。ここで、白色とは、色温度が３０００Ｋ〜１００００Ｋ以内のことをいう。
【００２３】
反射板３は、平板形状で、ＬＥＤ２の背面方向側に配置されている。この反射板３は、少なくともＬＥＤ２が配置される前面に白色のポリエステルなどからなる拡散反射面３ａを備えている。その拡散反射面３ａに到達した光は拡散されて正面方向に反射する。つまり、反射板３に到達した光は、正面方向側に拡散して反射される。
【００２４】
拡散シート４は、平板形状で、ＬＥＤ２の正面方向側に、ＬＥＤ２および反射板３との間に間隔をあけて配置されている。この拡散シート４は、ＬＥＤ２側、すなわち拡散シート４の背面側から入射する光を拡散する。そして、一部の光は拡散シート４を透過して前面から正面方向に出射し、一部の光は拡散シート４に反射して背面側（ＬＥＤ２側）に戻るように光を制御する。
【００２５】
波長変換シート５は、その略平板形状の外形形状を有し、拡散シート４と後述する輝度上昇シート６との間に配置されている。波長変換シート５は、内部に蛍光体膜を有する。この蛍光体膜は、ＬＥＤ２が発する青色の光によって励起されて、特定色の光、すなわち本実施の形態においては、蛍光体膜の作用により、青色の光の波長を、長波長側の発光主波長が５５０ｎｍ〜６１０ｎｍの黄色の光に変換し、正面方向に光を出射するものである。すなわち、背面側から入射する青色光の一部は波長変換シート５をそのまま透過するとともに、蛍光体膜の波長変換作用によって、一部の光は黄色の光に変換されて波長変換シート５を透過する。その結果、波長変換シート５は、青色光と黄色光とを混色させることによって、白色光を出射するものである。もちろん、青色光が多い場合には青色がかった白色光となり、黄色光が多い場合には、黄色がかった白色光となる。
【００２６】
輝度上昇シート６は、平板形状で、前記拡散シート４の前方に配置されている。輝度上昇シート６は、入射光の一部を背面方向に反射するとともに、入射光の一部を透過させて出射面の法線方向に向けて集光させ出射する。これによって、出射光の正面輝度を上昇させるものである。具体的には、例えば輝度上昇シート６の前面にプリズムを設けた構成とよって、所定の角度の光だけを出射させることができる。
【００２７】
以上の構成部材により直下型バックライト装置１が構成さる。また、図２に示すように、この直下型バックライト装置１の正面方向に画像を表示する液晶パネル７を配置すれば、液晶表示装置が構成される。また、液晶パネル７は、透明電極とスイッチング素子としての薄膜トランジスタを形成した基板と偏向板を設けた基板との間に、液晶を封入することにより複数の画素を形成したパネルが構成されている。そして、それぞれの画素を画像信号に応じてスイッチングすることにより、パネルを透過するバックライトの光の量を調整して、所望の画像を表示するものである。ところで、図２においては、理解しやすくするために、拡散シート４、波長変換シート５、輝度上昇シート６の各シート間に隙間を設けた状態の図で示しているが、このような隙間を設けて各シートを配置する必要はない。
【００２８】
次に、本実施の形態のバックライト装置に使用するＬＥＤ２について、詳細に説明する。
【００２９】
ＬＥＤ２は、発光主波長４３０〜４８０ｎｍの青色の光を発光するものでる。図３に示すように、ＬＥＤ２は、ＬＥＤチップ８をＬＥＤパッケージ９内に配置し、ＬＥＤチップ８を保護するための樹脂１０により封止することにより構成されている。また、ＬＥＤチップ８は、ＬＥＤパッケージ９の基板（図示せず）に配線部材により電気的に接続されている。なおここで、発光主波長とは、発光スペクトルにおいて発光強度の極大値を有する波長を意味している。また、図３において、点線Ａは、ＬＥＤ２の光の出射パターンを模式的に示すものである。
【００３０】
図４はＬＥＤチップ８の構造を模式的に示した断面図である。図４において、１１はサファイヤからなる透明な基板である。この基板１１の一方の主面上には、ｎ型のＧａＮ膜よりなるｎ型コンタクト層１２、ｎ型のＡｌＧａＮ膜よりなるｎ型クラッド層１３、ＩｎＧａＮ膜よりなる特定の波長の光を発光する活性層である発光層１４、ｐ型のＡｌＧａＮ膜よりなるｐ型クラッド層１５、ｐ型のＧａＮ膜よりなるｐ型コンタクト層１６が順次積層形成されている。
【００３１】
また、この積層体の発光層１４に対して光の出射側には、発光層１４から発光される光を反射する機能を有する第１の反射層としてのミラー層１７が積層形成されている。このミラー層１７は、後述するように、誘電体多層膜により構成されている。本実施の形態では、ミラー層１７は、複数のＴｉＯ２からなる層と、ＳｉＯ２からなる層とから構成されている。
【００３２】
１８は第２の反射層としての反射層であり、１９はｎ型の電極、２０はｐ型の電極である。
【００３３】
反射層１８は、基板１１の他方の主面側に設けられており、この反射層１８とミラー層１７とによって発光層１４が挟まれている。
【００３４】
また、この反射層１８は、酸化マグネシウム（ＭｇＯ）により構成されている。これにより反射層１８は、発光層１４から発光される光を拡散させる拡散機能と、光の反射機能とを兼ね備えている。
【００３５】
図４において、ｎ型の電極１９とｐ型の電極２０の間に電圧を印加することにより、発光層１４が発光する。発光層１４から発光される光は等方発光であるので、発光された光のうち一部は反射層１８およびミラー層１７に向かい、一部はＬＥＤ２を構成する積層体のいずれかの界面で全反射され、また一部はＬＥＤ２を構成する積層体のいずれかの材質により吸収される。
【００３６】
ここで、ミラー層１７の反射率は、反射層１８の反射率より低く設定されている。発光層１４で発光した光は、反射を繰り返しながらミラー層１７より取り出される。
【００３７】
図５はミラー層１７の断面図を示す。図５に示すように、ミラー層１７はｐ型コンタクト層１６上に形成され、第１の誘電体である二酸化チタン（ＴｉＯ２）からなる７層の高屈折率層１７ａ、１７ｂ、１７ｃ、１７ｄ、１７ｅ、１７ｆ、１７ｇと、第２の誘電体である二酸化珪素（ＳｉＯ２）からなる６層の低屈折率層１７ｈ、１７ｉ、１７ｊ、１７ｋ、１７ｌ、１７ｍとを交互に積層した誘電体多層膜により構成されている。そして、二酸化チタンからなる高屈折率層１７ａがｐ型コンタクト層１６と接している。
【００３８】
ここで、ミラー層１７を構成する第１の誘電体からなる高屈折率層１７ａ〜１７ｇと、第２の誘電体からなる低屈折率層１７ｈ〜１７ｍにおいて、それぞれの光学膜厚は、発光層１４からの光の第１の誘電体および第２の誘電体の中での波長の１／４近傍に設定している。具体的には、ｐ型コンタクト層１６側から、高屈折率層１７ａが２５．０ｎｍ、低屈折率層１７ｈが８３．３ｎｍ、高屈折率層１７ｂが４９．０ｎｍ、低屈折率層１７ｉが８０．０ｎｍ、高屈折率層１７ｃが４７．５ｎｍ、低屈折率層１７ｊが７８．３ｎｍ、高屈折率層１７ｄが４５．５ｎｍ、低屈折率層１７ｋが７３．３ｎｍ、高屈折率層１７ｅが４２．０ｎｍ、低屈折率層１７ｌが６６．７ｎｍ、高屈折率層１７ｆが３８．０ｎｍ、低屈折率層１７ｍが６０．０ｎｍ、高屈折率層１７ｇが１８．０ｎｍである。ここで、二酸化チタンの波長５３０ｎｍにおける屈折率は２．５、二酸化珪素の波長５３０ｎｍにおける屈折率は１．５である。
【００３９】
このように、ＬＥＤチップ８におけるミラー層１７について、屈折率の異なる第１の誘電体および第２の誘電体からなる誘電体多層膜により構成することにより、波長４５０ｎｍに対して、角度６５度以上に透過率のピークを持つ角度分布を実現することができ、図６に示すような配光特性を有するＬＥＤ２とすることができる。
【００４０】
図６は、上述した図４、図５の構成を備えたＬＥＤ２から出射される光の相対光度の角度特性の一例を示す図である。図６に示す特性においては、発光層１４から発光される光は等方発光としている。また、図６に示す特性において、出射角０度、すなわち正面方向に出射する光の光度を１に規格化して示している。
【００４１】
ところで、一般的なＬＥＤでは、発光層を挟むように反射層を配置すると、その反射層により共振器構造が形成され、ＬＥＤから出射する光の指向性がランバーシャンに近い分布になる。すなわち、光の出射角０度で光度は最大となり、出射角のコサインに比例する角度分布となる。
【００４２】
一方、本実施の形態におけるＬＥＤ２においては、拡散機能を備えた反射層１８、すなわちミラー層１７との間には光拡散機能が設けられるため、発光層１４を挟むように配置されたミラー層１７と反射層１８とによる光の干渉効果が抑制される。この結果、図６に示すように、出射角度が大きくなるにつれ光の光度が増大し、出射角が６５度以上の７０度近傍で光度が最大になる広配光の配光特性に容易に制御できることとなる。
【００４３】
すなわち、本実施の形態におけるＬＥＤ２においては、発光層１４から発光される光のうち半分は、反射層１８側に向かう。反射層１８はＭｇＯからなる拡散機能を備えた反射層であるため、反射層１８で反射される光は拡散反射され、ミラー層１７側に向かう。反射層１８の表面はＭｇＯであるので、反射される光は、拡散される。
【００４４】
このような拡散機能を備えた反射層１８にすることで、反射層１８とミラー層１７とによる光の干渉効果が抑制されるため、ＬＥＤ２から出射する光の配光特性は、光の出射角０度で光度が最大となるような特性とならなくなる。そして、ミラー層１７の透過／反射率の角度特性、すなわち出射角が６５度以上に透過率のピークが存在するような特性とするとともに、発光層１４から発光される光の配光特性を考慮することで、ＬＥＤ２の配光特性を図６に示すような広配光の配光特性に容易に制御できることとなる。
【００４５】
ここで、本実施の形態におけるＬＥＤチップ８の製造方法の一例を説明する。
【００４６】
まず、基板１１の下面側の他方の主面上にＭｇＯを塗布する。次に、基板１１の上面側の一方の主面上に、ＭＯＣＶＤ法を用いてｎ型コンタクト層１２、ｎ型クラッド層１３、発光層１４、ｐ型クラッド層１５、ｐ型コンタクト層１６を順次積層形成する。続いて、ｐ型コンタクト層１６上に、ＴｉＯ２とＳｉＯ２の多層コーティングにより、第１の反射層としてのミラー層１７を形成する。続いて、イオンビームエッチングにより、ｎ型の電極１９を形成する部分は、ミラー層１７側からｎ型コンタクト層１２の途中まで除去し、ｐ型の電極２０を形成する部分は、ｐ型コンタクト層１６の表面までエッチング除去を行う。続いて、ｎ型電極１９を形成するｎ型コンタクト層１２の露出部と、ｐ型電極２０を形成するｐ型コンタクト層１６の上に、真空蒸着して窒素中でアニールすることによりオーミック電極を形成する。
【００４７】
以上の工程により、図４、図５に示すＬＥＤチップ８を得ることができる。
【００４８】
なお、図４に示す例では、基板１１の他方の主面上にＭｇＯからなる反射層１８を形成することにより、反射層１８に発光層１４から発光される光を拡散させる拡散機能を備える構成としたが、図７に示すように、基板１１の他方の主面に、表面に光を拡散させるとともに反射させる凹凸構造を設けて構成した反射層２１を形成した構造でもよい。図７に示す例は、基板１１の他方の主面に、例えばサンドブラスト等によりランダムな凹凸構造を形成し、その凹凸構造の表面にＡｇなどの金属膜２１ａを形成して反射層２１を形成したものである。このような構成にすることによって、金属膜２１ａの表面が発光層１４から発光される光を拡散させる拡散機能を果たすこととなる。
【００４９】
さらに、上記例では、基板１１の他方の主面側に拡散機能を備えた反射層１８、２１を形成する構成としたが、図８に示すように、基板１１の他方の主面上にＡｇなどの金属からなる反射層２２を形成するとともに、基板１１の一方の主面上にオパール拡散板からなる拡散層２３を形成することにより、発光層１４と反射層２２との間に、発光層１４から発光される光を拡散させる拡散機能を持たせるように構成してもよい。
【００５０】
このような構成にすることによって、発光層１４側から、または反射層２２側からオパール拡散板からなる拡散層２３に入射した光は拡散され、上述したように反射層１８とミラー層１７とによる光の干渉効果が抑制される。そのため、ＬＥＤ２から出射する光の配光特性は、光の出射角０度で光度が最大となるような特性とはならない。図６に示すように、広配光の配光特性を持たせることができ、安価で高効率のバックライト装置を提供することができる。また、図８に示す例においては、基板１１の他方の主面上にＡｇなどの金属からなる反射層２２を形成するとともに、基板１１の一方の主面上に拡散層２３を形成する構成であるため、基板１１に反射層２２と拡散層２３を形成した後、発光層１４を含む積層構造体を形成するだけでよい。よって、製造が容易であるという効果が得られる。
【００５１】
なお、図８に示す例では、オパール拡散板からなる拡散層２３を基板１１の一方の主面上に形成することにより、反射層２２と発光層１４との間に配置したが、発光層１４と第１の反射層であるミラー層１７との間に、オパール拡散板からなる拡散層２３を配置してもよく、要は第１の反射層であるミラー層１７と第２の反射層である反射層２２との間に、発光層１４から発光される光を拡散させる拡散層２３を配置すればよい。
【００５２】
以上説明したように、本実施の形態においては、特定の色の光を発光する発光手段であるＬＥＤ２と、このＬＥＤ２からの光を拡散させて面光源とするための拡散部材である拡散シート４とを備えたバックライト装置において、ＬＥＤ２は、透明な基板１１上に設けられ特定の波長の光を発光する発光層１４と、発光層１４に対して光の出射側に形成されかつ発光層１４から発光される光を反射する機能を有するミラー層１７と、ミラー層１７とで発光層１４を挟むように基板１１側に設けた反射層１８とを備え、反射層１８は、発光層１４から発光される光を拡散させる拡散機能を備えた構成としている。この構成によって、反射層１８とミラー層１７とによる光の干渉効果が抑制されるため、ミラー層１７の透過／反射率の角度特性、すなわち出射角が６５度以上において透過率のピークが存在するような特性を示す。図６に示すように、広配光の配光特性に容易に制御することができ、安価で高効率のバックライト装置を提供することができる。
【００５３】
ところで、レンズを使用せずにＬＥＤ２から発光する光そのものを広配光化させた場合、図９の特性Ｂに示すように、ＬＥＤチップ８から発光する青色は広配光化されているが、ＬＥＤ２からの青色の光により蛍光体膜が励起されて発光する発光主波長が５５０ｎｍ〜６１０ｎｍの黄色の光の配光特性は、特性Ｙのようにランバーシャンとなる。つまり、ＬＥＤパッケージ９から出射後の青色光と黄色光の配光特性が異なり、黄色の光は、ＬＥＤ２の直上方向に光度の極大値を有し、青色の光は６５度以上の７０度付近に光度の極大値を有する。このため、ＬＥＤ２の直上においては黄色がかった白色となり、７０度付近では青色がかった白色となり、角度によって色が異なる結果となり、色むらの原因となる。
【００５４】
また、ミラー層１７として誘電体多層膜を出射側に用いて広配光化した場合には、誘電体多層膜における光の干渉により強め合う波長と弱め合う波長が存在し、角度によって発光スペクトルが異なってしまう。図１０に青色のＬＥＤのスペクトルの一例を示している。図１０に示すように、ここで、０度方向に出射する光Ｂ１に対して、６０度方向に出射する光Ｂ２のスペクトルが約１０ｎｍ長波長側にシフトしていることが分かる。また、この図１０に示すように角度により、発光スペクトルが変化するため、色度もずれることとなる。
【００５５】
また、図１１には黄色に発光する蛍光体の吸収スペクトルの一例を示している。吸収スペクトルにおけるピークは、０度方向の発光スペクトルのピークと同じ４５０ｎｍ付近にあり、４５０ｎｍより長波長側になると、吸収係数が減少する。つまり、蛍光体の光の吸収量が減少し、励起される黄色の蛍光体の発光強度が弱くなる。したがって、蛍光体を透過した後の０度方向は、図１２Ａに示すスペクトルとなり、６０度方向は図１２Ｂに示すスペクトルとなる。図１２Ｂでは、青色ＬＥＤの発光強度に対して、黄色の蛍光体の発光強度が相対的に弱くなってしまい、０度と６０度で色が変化してしまうことから、結果としてバックライト装置において色むらが発生することとなる。
【００５６】
一方、本実施の形態におけるバックライト装置においては、上述したように、ＬＥＤ２から出射した青色の光は、図６に示すような配光特性を示し、このような配光特性の青色の光が拡散シート４を透過し、波長変換シート５に入射する。そして、波長変換シート５に入射した青色の光の一部は、そのまま透過し、残りの青色の光は、蛍光体の波長変換作用によって黄色の光に変換されて透過する。このとき、波長変換シート５を透過した直後の青色の光の配光特性と、蛍光体の波長変換作用によって変換された黄色の光が同じ照度分布で、しかも共にランバーシャンの配光特性となることから、青色の光と黄色の光で同じ特性となる。すなわち、上述したような色むらの発生を抑制することができ、液晶表示装置として画質の向上を図ることができる。
【００５７】
なお、以上の説明では、波長変換シート５は、拡散シート４と輝度上昇シート６の間に配置したが、これに限定されない。例えば、反射板３と拡散シート４の間に配置することもできる。要するに、反射板３と輝度上昇シート６の間に配置されていれば、色むらを低減する効果を得ることができる。
【００５８】
また、拡散部材として、拡散シート４の代わりに、機械的強度の高い拡散板を用いれば、この拡散板に他の光学シートを保持させることができ、この場合は拡散板と輝度上昇シート６の間に配置されればよい。
【００５９】
また、輝度上昇シート６は、入射光の一部を後方へ反射するとともに、一部を透過して出射面の法線方向に向けて集光して出射することで出射光の正面輝度を上昇させるように構成したが、これに限定されない。例えば、入射光の一部を後方へ反射するものであれば、他のものであってもかまわない。また、液晶表示装置を構成した場合に、液晶パネル７で吸収される偏光成分のみを反射して、残りの光を透過させるような構成であってもよい。
【００６０】
さらに、本実施の形態において、波長変換シート５は、青色の光を黄色の光に変換する蛍光体膜を設けた構成としたが、これに限定されない。例えば、青色の光を赤色の光に変換する蛍光体膜と、青色の光を緑色の光に変換する蛍光体膜とを有していてもよい。この構成によれば、発光手段であるＬＥＤ２からの青色の光と、波長変換シート５で波長変換された赤色の光および緑色の光とを混色させて白色光を生成することもできる。
【００６１】
さらには、ＬＥＤ２として、発光主波長が３５０ｎｍ〜４００ｎｍの紫外の光を発光するＬＥＤを用い、そして波長変換シート５として、図１３に示すように、紫外光のＬＥＤによって励起されかつ赤色、青色、緑色の光を発光する特性を有する蛍光体Ｒ、Ｇ、Ｂの膜を形成したものを用い、青色、緑色、赤色の混色により白色を実現するような構成としてもよい。この紫外光のＬＥＤを用いて構成すると、紫外光は白色の一部として利用されないため、色むらがＬＥＤの色度変化の影響を受けず、蛍光体の励起効率のみに影響されるため、さらに色むらの少ないバックライト装置を実現することができる。
【００６２】
次に、他の実施の形態について説明する。図１４は他の実施の形態における直下型バックライト装置を用いた液晶表示装置の概略構成を示す断面図である。
【００６３】
本実施の形態においては、波長変換手段として、光度の極大値を有する角度近傍において厚みが厚くなるように構成した波長変換シート２５を用いたものである。
【００６４】
すなわち、図１４に示すように、波長変換シート２５は、ＬＥＤ２の光軸上における厚みｔ１よりもＬＥＤ２の光軸外で、ＬＥＤ２の光度の極大値を有する角度近傍における厚みｔ２の方が厚くなるように構成したものである。ＬＥＤ２の光軸上における波長変換シート２５の厚みがｔ１であり、光軸から離れるにつれてその厚みが薄くなる。そして、色度変化の最も大きい角度においてその厚みがｔ１よりも厚いｔ２となる。ＬＥＤ２の光軸上における厚みｔ１は、各ＬＥＤ２で一致し、波長変換シート２５の膜厚変化はＬＥＤ２の光軸を中心として同心円形状に変化している。
【００６５】
本実施の形態におけるＬＥＤ２において、ミラー層１７を誘電体多層膜で構成すると、光の干渉効果によって強め合う波長と弱め合う波長が存在し、また、ＬＥＤ２の出射角が異なると、図１０に示すように光のスペクトルが異なってしまい、蛍光体の励起効率が低下することから、色むらが発生してしまう。
【００６６】
本実施の形態の構成とすることにより、ＬＥＤ２の青色の光の発光強度に対する黄色の蛍光体膜の発光強度をほぼ等しくすることが可能となり、色むらの少ないバックライト装置とすることができる。
【産業上の利用可能性】
【００６７】
以上のように本発明は、安価で高効率のバックライト装置を提供するとともに、液晶表示装置の画質を向上させる上で有用な発明である。
【符号の説明】
【００６８】
１    直下型バックライト装置
２    ＬＥＤ
３    反射板
４    拡散シート
５，２５    波長変換シート
６    輝度上昇シート
７    液晶パネル
８    ＬＥＤチップ
９    ＬＥＤパッケージ
１０    樹脂
１１    基板
１２    ｎ型コンタクト層
１３    ｎ型クラッド層
１４    発光層
１５    ｐ型クラッド層
１６    ｐ型コンタクト層
１７    ミラー層
１７ａ〜１７ｇ    高屈折率層
１７ｈ〜１７ｍ    低屈折率層
１８，２１，２２    反射層
１９    ｎ型電極
２０    ｐ型電極
２１ａ    金属膜
２３    拡散層
【図１】
2012035759.tif 000003
【図２】
2012035759.tif 000004
【図３】
2012035759.tif 000005
【図４】
2012035759.tif 000006
【図５】
2012035759.tif 000007
【図６】
2012035759.tif 000008
【図７】
2012035759.tif 000009
【図８】
2012035759.tif 000010
【図９】
2012035759.tif 000011
【図１０】
2012035759.tif 000012
【図１１】
2012035759.tif 000013
【図１２Ａ】
2012035759.tif 000014
【図１２Ｂ】
2012035759.tif 000015
【図１３】
2012035759.tif 000016
【図１４】
2012035759.tif 000017
【図１５】
2012035759.tif 000018
【手続補正書】
【提出日】平成24年2月16日(2012.2.16)
【手続補正１】
【補正対象書類名】明細書
【補正対象項目名】全文
【補正方法】変更
【補正の内容】
【発明の詳細な説明】
【技術分野】
【０００１】
本発明は、バックライト装置、およびそのバックライト装置を用いた液晶表示装置、およびそれらに用いる発光ダイオード（以下、ＬＥＤという）に関する。
【背景技術】
【０００２】
大型の液晶ディスプレイ装置のバックライト装置では、冷陰極管が液晶パネルの直下に多数配置されていた。そして、この冷陰極管は、冷陰極管の発光を液晶パネル側に反射する反射板や、冷陰極管から発せられる発光を拡散させて面光源とする拡散板等の部材と共に使われていた。
【０００３】
近年、この種のバックライト装置の光源として、発光ダイオードが使用されるようになっている。発光ダイオードは、近年、効率が向上し、蛍光灯に変わる消費電力の少ない光源として期待されている。また液晶ディスプレイ装置用の光源として発光ダイオードを用いた場合、映像に応じて発光ダイオードの明暗を制御することで、液晶表示装置の消費電力を下げることができる。
【０００４】
ところで、液晶表示装置用の発光ダイオードとしては、活性層にＧａＮ系の半導体を用いた青色発光ダイオードに蛍光体を組み合わせる方式のものが主流になりつつある。
【０００５】
図１５は、特許文献１に示されているＧａＮ系の発光ダイオードの構成を示す図である。図１５に示すように、発光ダイオードは、サファイア基板３１の上にバッファ層（図示せず）を介して、ｎ型のＧａＮ膜よりなるｎ型コンタクト層３２およびｎ型クラッド層３３が形成されている。ｎ型クラッド層３３の上には、ＩｎＧａＮ膜よりなる発光層３４が構成されており、発光層３４の上には、ｐ型のＡｌＧａＮ膜よりなるｐ型クラッド層３５とｐ型のＧａＮ膜よりなるｐ型コンタクト層３６が下から順に構成されている。ｎ型コンタクト層３２の上にはｎ型電極３７が形成されていると共に、ｐ型コンタクト層３６の上にはｐ型電極３８が形成されている。ｎ型電極３７とｐ型電極３８の間に電圧を印加することにより、発光層３４が発光する。
【０００６】
特許文献１に示すような発光ダイオードでは、発光ダイオードのチップの正面方向に最も多くの光が発光しており、レンズを用いて、光軸近傍の凹面でチップからの正面方向に向かう光を屈折により発散させることにより、被照射面における光軸近傍の照度を抑えて広がりのある照度分布にすることができる。
【０００７】
本発明は、広配光の発光特性を有する発光ダイオードを提供し、この発光ダイオードを用いることによって、安価で高効率のバックライト装置を提供し、このバックライト装置を用いることによって、画質向上を図った液晶表示装置を提供することを目的としている。
【先行技術文献】
【特許文献】
【０００８】
【特許文献１】特開２００１−７３９９号公報
【発明の概要】
【０００９】
本発明のバックライト装置は、特定の色の光を発光する発光手段を備え、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする。
【００１０】
本発明の液晶表示装置は、特定の色の光を発光する発光手段を備えたバックライト装置と、前記バックライト装置からの出射光を背面側から入射し画像を表示する液晶パネルとを備えた液晶表示装置であって、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする。
【００１１】
本発明の発光ダイオードは、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする。
【００１２】
上記構成のバックライト装置によれば、安価で高効率、かつ、色むらの少ないバックライト装置を得ることができる。
【００１３】
また、上記構成の液晶表示装置によれば、画質向上を図れる液晶表示装置を得ることができる。
【００１４】
また、上記構成の発光ダイオードによれば、広配光の発光特性を有する発光ダイオードを得ることができる。
【図面の簡単な説明】
【００１５】
【図１】本発明の一実施の形態による直下型バックライト装置の概略構成を示す斜視図
【図２】同バックライト装置を用いた液晶表示装置の概略構成を示す断面図
【図３】同バックライト装置に用いるＬＥＤの構造を示す断面図
【図４】同ＬＥＤのＬＥＤチップの構造を模式的に示す断面図
【図５】同ＬＥＤチップのミラー層の構造を模式的に示す断面図
【図６】同ＬＥＤから出射される光の相対強度の角度特性を示す図
【図７】同ＬＥＤの他の例によるＬＥＤチップの構造を模式的に示す断面図
【図８】同ＬＥＤの他の例によるＬＥＤチップの構造を模式的に示す断面図
【図９】同ＬＥＤの青色光と蛍光体からの黄色光の強度の角度特性を示す図
【図１０】同ＬＥＤから出射される青色光の０度と６０度の発光スペクトルを示す図
【図１１】黄色の蛍光体の吸収スペクトルの一例を示す図
【図１２Ａ】ＬＥＤの蛍光体層透過後の０度方向の白色光スペクトルの一例を示す図
【図１２Ｂ】ＬＥＤの蛍光体層透過後の６０度方向の白色光スペクトルの一例を示す図
【図１３】紫外光のＬＥＤと赤色、青色、緑色蛍光体の混色による白色ＬＥＤのスペクトルの一例を示す図
【図１４】本発明の他の実施の形態によるバックライト装置を用いた液晶表示装置の概略構成を示す断面図
【図１５】従来のＬＥＤのＬＥＤチップの構造を模式的に示す断面図
【発明を実施するための形態】
【００１６】
以下、本発明の一実施の形態によるバックライト装置ついて、図面を用いて説明する。
【００１７】
本実施の形態によるバックライト装置は、直下型バックライト装置である。
【００１８】
図１は本発明の一実施の形態による直下型バックライト装置の概略構成を示す斜視図であり、図２は図１に示す直下型バックライト装置を用いた液晶表示装置の概略構成を示す断面図である。なお、図２は、図１のｘ−ｙ平面におけるＬＥＤの光軸を含む位置での概略断面を示している。ここで、図１、図２において、ｘ軸の方向を「横方向」と呼び、直下型バックライト装置１の光の出射方向であるｙ軸の正の方向を「正面方向」、ｙ軸の負の方向を「背面方向」と呼び、ｚ軸の正の方向を「上方向」、ｚ軸の負の方向を「下方向」と呼ぶ。
【００１９】
図１、図２に示すように、直下型バックライト装置１は、複数個のＬＥＤ２がマトリックス状に均等間隔で配列されるように反射板３の前面に配置されている。そしてＬＥＤ２の正面方向側には、ＬＥＤ２との間に間隔をあけて、各種の光学シートが配置されている。すなわち、ＬＥＤ２の正面方向側には、拡散シート４と波長変換シート５と輝度上昇シート６が配置されている。
【００２０】
拡散シート４は、ＬＥＤ２からの光および反射板３により反射された光を拡散させ、面光源を形成するための拡散部材である。波長変換シート５は、拡散シート４を通して入射される光のうち、その一部の光を透過させ、透過させた光と混色することによって例えば白色の光のような、特定の色の光に変換する波長変換手段である。輝度上昇シート６は、出射面の法線方向に向けて集光して出射することによって出射光の正面輝度を上昇させるものである。
【００２１】
このＬＥＤ２は、直下型バックライト装置１の構成によって適宜最適な数および間隔で配置される。例えば、直下型バックライト装置１の大きさ、厚み、ＬＥＤ２の配光特性等に応じて決定される。
【００２２】
また、この直下型バックライト装置１は、輝度上昇シート６の正面方向側の面を光の出射面として、白色の面状光を出射する。ここで、白色とは、色温度が３０００Ｋ〜１００００Ｋ以内のことをいう。
【００２３】
反射板３は、平板形状で、ＬＥＤ２の背面方向側に配置されている。この反射板３は、少なくともＬＥＤ２が配置される前面に白色のポリエステルなどからなる拡散反射面３ａを備えている。その拡散反射面３ａに到達した光は拡散されて正面方向に反射する。つまり、反射板３に到達した光は、正面方向側に拡散して反射される。
【００２４】
拡散シート４は、平板形状で、ＬＥＤ２の正面方向側に、ＬＥＤ２および反射板３との間に間隔をあけて配置されている。この拡散シート４は、ＬＥＤ２側、すなわち拡散シート４の背面側から入射する光を拡散する。そして、一部の光は拡散シート４を透過して前面から正面方向に出射し、一部の光は拡散シート４に反射して背面側（ＬＥＤ２側）に戻るように光を制御する。
【００２５】
波長変換シート５は、その略平板形状の外形形状を有し、拡散シート４と後述する輝度上昇シート６との間に配置されている。波長変換シート５は、内部に蛍光体膜を有する。この蛍光体膜は、ＬＥＤ２が発する青色の光によって励起されて、特定色の光、すなわち本実施の形態においては、蛍光体膜の作用により、青色の光の波長を、長波長側の発光主波長が５５０ｎｍ〜６１０ｎｍの黄色の光に変換し、正面方向に光を出射するものである。すなわち、背面側から入射する青色光の一部は波長変換シート５をそのまま透過するとともに、蛍光体膜の波長変換作用によって、一部の光は黄色の光に変換されて波長変換シート５を透過する。その結果、波長変換シート５は、青色光と黄色光とを混色させることによって、白色光を出射するものである。もちろん、青色光が多い場合には青色がかった白色光となり、黄色光が多い場合には、黄色がかった白色光となる。
【００２６】
輝度上昇シート６は、平板形状で、前記拡散シート４の前方に配置されている。輝度上昇シート６は、入射光の一部を背面方向に反射するとともに、入射光の一部を透過させて出射面の法線方向に向けて集光させ出射する。これによって、出射光の正面輝度を上昇させるものである。具体的には、例えば輝度上昇シート６の前面にプリズムを設けた構成とよって、所定の角度の光だけを出射させることができる。
【００２７】
以上の構成部材により直下型バックライト装置１が構成される。また、図２に示すように、この直下型バックライト装置１の正面方向に画像を表示する液晶パネル７を配置すれば、液晶表示装置が構成される。また、液晶パネル７は、透明電極とスイッチング素子としての薄膜トランジスタを形成した基板と偏向板を設けた基板との間に、液晶を封入することにより複数の画素を形成したパネルが構成されている。そして、それぞれの画素を画像信号に応じてスイッチングすることにより、パネルを透過するバックライトの光の量を調整して、所望の画像を表示するものである。ところで、図２においては、理解しやすくするために、拡散シート４、波長変換シート５、輝度上昇シート６の各シート間に隙間を設けた状態の図で示しているが、このような隙間を設けて各シートを配置する必要はない。
【００２８】
次に、本実施の形態のバックライト装置に使用するＬＥＤ２について、詳細に説明する。
【００２９】
ＬＥＤ２は、発光主波長４３０〜４８０ｎｍの青色の光を発光するものでる。図３に示すように、ＬＥＤ２は、ＬＥＤチップ８をＬＥＤパッケージ９内に配置し、ＬＥＤチップ８を保護するための樹脂１０により封止することにより構成されている。また、ＬＥＤチップ８は、ＬＥＤパッケージ９の基板（図示せず）に配線部材により電気的に接続されている。なおここで、発光主波長とは、発光スペクトルにおいて発光強度の極大値を有する波長を意味している。また、図３において、点線Ａは、ＬＥＤ２の光の出射パターンを模式的に示すものである。
【００３０】
図４はＬＥＤチップ８の構造を模式的に示した断面図である。図４において、１１はサファイヤからなる透明な基板である。この基板１１の一方の主面上には、ｎ型のＧａＮ膜よりなるｎ型コンタクト層１２、ｎ型のＡｌＧａＮ膜よりなるｎ型クラッド層１３、ＩｎＧａＮ膜よりなる特定の波長の光を発光する活性層である発光層１４、ｐ型のＡｌＧａＮ膜よりなるｐ型クラッド層１５、ｐ型のＧａＮ膜よりなるｐ型コンタクト層１６が順次積層形成されている。
【００３１】
また、この積層体の発光層１４に対して光の出射側には、発光層１４から発光される光を反射する機能を有する第１の反射層としてのミラー層１７が積層形成されている。このミラー層１７は、後述するように、誘電体多層膜により構成されている。本実施の形態では、ミラー層１７は、複数のＴｉＯ2からなる層と、ＳｉＯ2からなる層とから構成されている。
【００３２】
１８は第２の反射層としての反射層であり、１９はｎ型の電極、２０はｐ型の電極である。
【００３３】
反射層１８は、基板１１の他方の主面側に設けられており、この反射層１８とミラー層１７とによって発光層１４が挟まれている。
【００３４】
また、この反射層１８は、酸化マグネシウム（ＭｇＯ）により構成されている。これにより反射層１８は、発光層１４から発光される光を拡散させる拡散機能と、光の反射機能とを兼ね備えている。
【００３５】
図４において、ｎ型の電極１９とｐ型の電極２０の間に電圧を印加することにより、発光層１４が発光する。発光層１４から発光される光は等方発光であるので、発光された光のうち一部は反射層１８およびミラー層１７に向かい、一部はＬＥＤ２を構成する積層体のいずれかの界面で全反射され、また一部はＬＥＤ２を構成する積層体のいずれかの材質により吸収される。
【００３６】
ここで、ミラー層１７の反射率は、反射層１８の反射率より低く設定されている。発光層１４で発光した光は、反射を繰り返しながらミラー層１７より取り出される。
【００３７】
図５はミラー層１７の断面図を示す。図５に示すように、ミラー層１７はｐ型コンタクト層１６上に形成され、第１の誘電体である二酸化チタン（ＴｉＯ2）からなる７層の高屈折率層１７ａ、１７ｂ、１７ｃ、１７ｄ、１７ｅ、１７ｆ、１７ｇと、第２の誘電体である二酸化珪素（ＳｉＯ2）からなる６層の低屈折率層１７ｈ、１７ｉ、１７ｊ、１７ｋ、１７ｌ、１７ｍとを交互に積層した誘電体多層膜により構成されている。そして、二酸化チタンからなる高屈折率層１７ａがｐ型コンタクト層１６と接している。
【００３８】
ここで、ミラー層１７を構成する第１の誘電体からなる高屈折率層１７ａ〜１７ｇと、第２の誘電体からなる低屈折率層１７ｈ〜１７ｍにおいて、それぞれの光学膜厚は、発光層１４からの光の第１の誘電体および第２の誘電体の中での波長の１／４近傍に設定している。具体的には、ｐ型コンタクト層１６側から、高屈折率層１７ａが２５．０ｎｍ、低屈折率層１７ｈが８３．３ｎｍ、高屈折率層１７ｂが４９．０ｎｍ、低屈折率層１７ｉが８０．０ｎｍ、高屈折率層１７ｃが４７．５ｎｍ、低屈折率層１７ｊが７８．３ｎｍ、高屈折率層１７ｄが４５．５ｎｍ、低屈折率層１７ｋが７３．３ｎｍ、高屈折率層１７ｅが４２．０ｎｍ、低屈折率層１７ｌが６６．７ｎｍ、高屈折率層１７ｆが３８．０ｎｍ、低屈折率層１７ｍが６０．０ｎｍ、高屈折率層１７ｇが１８．０ｎｍである。ここで、二酸化チタンの波長４５０ｎｍにおける屈折率は２．５、二酸化珪素の波長４５０ｎｍにおける屈折率は１．５とした。
【００３９】
このように、ＬＥＤチップ８におけるミラー層１７について、屈折率の異なる第１の誘電体および第２の誘電体からなる誘電体多層膜により構成することにより、発光層１４の発光主波長４５０ｎｍに対して、角度６５度以上に透過率のピークを持つ角度分布を実現することができ、図６に示すような配光特性を有するＬＥＤ２とすることができる。
【００４０】
図６は、上述した図４、図５の構成を備えたＬＥＤ２から出射される光の相対強度の角度特性の一例を示す図である。図６に示す特性においては、発光層１４から発光される光は等方発光としている。また、図６に示す特性において、出射角０度、すなわち正面方向に出射する光の強度を１に規格化して示している。
【００４１】
ところで、一般的なＬＥＤでは、発光層を挟むように反射層を配置すると、その反射層により共振器構造が形成され、ＬＥＤから出射する光の指向性がランバーシャンに近い分布になる。すなわち、光の出射角０度で強度は最大となり、出射角のコサインに比例する角度分布となる。
【００４２】
一方、本実施の形態におけるＬＥＤ２においては、拡散機能を備えた反射層１８、すなわちミラー層１７との間には光拡散機能が設けられるため、発光層１４を挟むように配置されたミラー層１７と反射層１８とによる光の干渉効果が抑制される。この結果、図６に示すように、出射角度が大きくなるにつれ光の強度が増大し、出射角が６５度以上の７０度近傍で強度が最大になる広配光の配光特性に容易に制御できることとなる。
【００４３】
すなわち、本実施の形態におけるＬＥＤ２においては、発光層１４から発光される光のうち半分は、反射層１８側に向かう。反射層１８はＭｇＯからなる拡散機能を備えた反射層であるため、反射層１８で反射される光は拡散反射され、ミラー層１７側に向かう。反射層１８の表面はＭｇＯであるので、反射される光は、拡散される。
【００４４】
このような拡散機能を備えた反射層１８にすることで、反射層１８とミラー層１７とによる光の干渉効果が抑制されるため、ＬＥＤ２から出射する光の配光特性は、光の出射角０度で強度が最大となるような特性とならなくなる。そして、ミラー層１７の透過／反射率の角度特性、すなわち出射角が６５度以上に透過率のピークが存在するような特性とするとともに、発光層１４から発光される光の配光特性を考慮することで、ＬＥＤ２の配光特性を図６に示すような広配光の配光特性に容易に制御できることとなる。
【００４５】
ここで、本実施の形態におけるＬＥＤチップ８の製造方法の一例を説明する。
【００４６】
まず、基板１１の下面側の他方の主面上にＭｇＯを塗布する。次に、基板１１の上面側の一方の主面上に、ＭＯＣＶＤ法を用いてｎ型コンタクト層１２、ｎ型クラッド層１３、発光層１４、ｐ型クラッド層１５、ｐ型コンタクト層１６を順次積層形成する。続いて、ｐ型コンタクト層１６上に、ＴｉＯ2とＳｉＯ2の多層コーティングにより、第１の反射層としてのミラー層１７を形成する。続いて、イオンビームエッチングにより、ｎ型の電極１９を形成する部分は、ミラー層１７側からｎ型コンタクト層１２の途中まで除去し、ｐ型の電極２０を形成する部分は、ｐ型コンタクト層１６の表面までエッチング除去を行う。続いて、ｎ型電極１９を形成するｎ型コンタクト層１２の露出部と、ｐ型電極２０を形成するｐ型コンタクト層１６の上に、真空蒸着して窒素中でアニールすることによりオーミック電極を形成する。
【００４７】
以上の工程により、図４、図５に示すＬＥＤチップ８を得ることができる。
【００４８】
なお、図４に示す例では、基板１１の他方の主面上にＭｇＯからなる反射層１８を形成することにより、反射層１８に発光層１４から発光される光を拡散させる拡散機能を備える構成としたが、図７に示すように、基板１１の他方の主面に、表面に光を拡散させるとともに反射させる凹凸構造を設けて構成した反射層２１を形成した構造でもよい。図７に示す例は、基板１１の他方の主面に、例えばサンドブラスト等によりランダムな凹凸構造を形成し、その凹凸構造の表面にＡｇなどの金属膜２１ａを形成して反射層２１を形成したものである。このような構成にすることによって、金属膜２１ａの表面が発光層１４から発光される光を拡散させる拡散機能を果たすこととなる。
【００４９】
さらに、上記例では、基板１１の他方の主面側に拡散機能を備えた反射層１８、２１を形成する構成としたが、図８に示すように、基板１１の他方の主面上にＡｇなどの金属からなる反射層２２を形成するとともに、基板１１の一方の主面上にオパール拡散板からなる拡散層２３を形成することにより、発光層１４と反射層２２との間に、発光層１４から発光される光を拡散させる拡散機能を持たせるように構成してもよい。
【００５０】
このような構成にすることによって、発光層１４側から、または反射層２２側からオパール拡散板からなる拡散層２３に入射した光は拡散され、上述したように反射層１８とミラー層１７とによる光の干渉効果が抑制される。そのため、ＬＥＤ２から出射する光の配光特性は、光の出射角０度で強度が最大となるような特性とはならない。図６に示すように、広配光の配光特性を持たせることができ、安価で高効率のバックライト装置を提供することができる。また、図８に示す例においては、基板１１の他方の主面上にＡｇなどの金属からなる反射層２２を形成するとともに、基板１１の一方の主面上に拡散層２３を形成する構成であるため、基板１１に反射層２２と拡散層２３を形成した後、発光層１４を含む積層構造体を形成するだけでよい。よって、製造が容易であるという効果が得られる。
【００５１】
なお、図８に示す例では、オパール拡散板からなる拡散層２３を基板１１の一方の主面上に形成することにより、反射層２２と発光層１４との間に配置したが、発光層１４と第１の反射層であるミラー層１７との間に、オパール拡散板からなる拡散層２３を配置してもよく、要は第１の反射層であるミラー層１７と第２の反射層である反射層２２との間に、発光層１４から発光される光を拡散させる拡散層２３を配置すればよい。
【００５２】
以上説明したように、本実施の形態においては、特定の色の光を発光する発光手段であるＬＥＤ２と、このＬＥＤ２からの光を拡散させて面光源とするための拡散部材である拡散シート４とを備えたバックライト装置において、ＬＥＤ２は、透明な基板１１上に設けられ特定の波長の光を発光する発光層１４と、発光層１４に対して光の出射側に形成されかつ発光層１４から発光される光を反射する機能を有するミラー層１７と、ミラー層１７とで発光層１４を挟むように基板１１側に設けた反射層１８とを備え、反射層１８は、発光層１４から発光される光を拡散させる拡散機能を備えた構成としている。この構成によって、反射層１８とミラー層１７とによる光の干渉効果が抑制される。さらに、ミラー層１７の透過／反射率の角度特性を、出射角が６５度以上において透過率のピークが存在するような特性とすることで、図６に示すように、広配光の配光特性に容易に制御することができ、安価で高効率のバックライト装置を提供することができる。
【００５３】
ところで、レンズを使用せずにＬＥＤ２から発光する光そのものを広配光化させた場合、図９の特性Ｂに示すように、ＬＥＤチップ８から発光する青色は広配光化されているが、ＬＥＤ２からの青色の光により蛍光体膜が励起されて発光する発光主波長が５５０ｎｍ〜６１０ｎｍの黄色の光の配光特性は、特性Ｙのようにランバーシャンとなる。つまり、ＬＥＤパッケージ９から出射後の青色光と黄色光の配光特性が異なり、黄色の光は、ＬＥＤ２の直上方向に強度の極大値を有し、青色の光は６５度以上の７０度付近に強度の極大値を有する。このため、ＬＥＤ２の直上においては黄色がかった白色となり、７０度付近では青色がかった白色となり、角度によって色が異なる結果となり、色むらの原因となる。
【００５４】
また、ミラー層１７として誘電体多層膜を出射側に用いて広配光化した場合には、誘電体多層膜における光の干渉により強め合う波長と弱め合う波長が存在し、角度によって発光スペクトルが異なってしまう。図１０に青色のＬＥＤのスペクトルの一例を示している。図１０に示すように、ここで、０度方向に出射する光Ｂ１に対して、６０度方向に出射する光Ｂ２のスペクトルが約１０ｎｍ長波長側にシフトしていることが分かる。また、この図１０に示すように角度により、発光スペクトルが変化するため、色度もずれることとなる。
【００５５】
また、図１１には黄色に発光する蛍光体の吸収スペクトルの一例を示している。吸収スペクトルにおけるピークは、０度方向の発光スペクトルのピークと同じ４５０ｎｍ付近にあり、４５０ｎｍより長波長側になると、吸収係数が減少する。つまり、蛍光体の光の吸収量が減少し、励起される黄色の蛍光体の発光強度が弱くなる。したがって、蛍光体を透過した後の０度方向は、図１２Ａに示すスペクトルとなり、６０度方向は図１２Ｂに示すスペクトルとなる。図１２Ｂでは、青色ＬＥＤの発光強度に対して、黄色の蛍光体の発光強度が相対的に弱くなってしまい、０度と６０度で色が変化してしまうことから、結果としてバックライト装置において色むらが発生することとなる。
【００５６】
一方、本実施の形態におけるバックライト装置においては、上述したように、ＬＥＤ２から出射した青色の光は、図６に示すような配光特性を示し、このような配光特性の青色の光が拡散シート４を透過し、波長変換シート５に入射する。そして、波長変換シート５に入射した青色の光の一部は、そのまま透過し、残りの青色の光は、蛍光体の波長変換作用によって黄色の光に変換されて透過する。このとき、波長変換シート５を透過した直後の青色の光の配光特性と、蛍光体の波長変換作用によって変換された黄色の光が同じ照度分布で、しかも共にランバーシャンの配光特性となることから、青色の光と黄色の光で同じ特性となる。すなわち、上述したような色むらの発生を抑制することができ、液晶表示装置として画質の向上を図ることができる。
【００５７】
なお、以上の説明では、波長変換シート５は、拡散シート４と輝度上昇シート６の間に配置したが、これに限定されない。例えば、反射板３と拡散シート４の間に配置することもできる。要するに、反射板３と輝度上昇シート６の間に配置されていれば、色むらを低減する効果を得ることができる。
【００５８】
また、拡散部材として、拡散シート４の代わりに、機械的強度の高い拡散板を用いれば、この拡散板に他の光学シートを保持させることができ、この場合は拡散板と輝度上昇シート６の間に配置されればよい。
【００５９】
また、輝度上昇シート６は、入射光の一部を後方へ反射するとともに、一部を透過して出射面の法線方向に向けて集光して出射することで出射光の正面輝度を上昇させるように構成したが、これに限定されない。例えば、入射光の一部を後方へ反射するものであれば、他のものであってもかまわない。また、液晶表示装置を構成した場合に、液晶パネル７で吸収される偏光成分のみを反射して、残りの光を透過させるような構成であってもよい。
【００６０】
さらに、本実施の形態において、波長変換シート５は、青色の光を黄色の光に変換する蛍光体膜を設けた構成としたが、これに限定されない。例えば、青色の光を赤色の光に変換する蛍光体膜と、青色の光を緑色の光に変換する蛍光体膜とを有していてもよい。この構成によれば、発光手段であるＬＥＤ２からの青色の光と、波長変換シート５で波長変換された赤色の光および緑色の光とを混色させて白色光を生成することもできる。
【００６１】
さらには、ＬＥＤ２として、発光主波長が３５０ｎｍ〜４００ｎｍの紫外の光を発光するＬＥＤを用い、そして波長変換シート５として、図１３に示すように、紫外光のＬＥＤによって励起されかつ赤色、青色、緑色の光を発光する特性を有する蛍光体Ｒ、Ｇ、Ｂの膜を形成したものを用い、青色、緑色、赤色の混色により白色を実現するような構成としてもよい。この紫外光のＬＥＤを用いて構成すると、紫外光は白色の一部として利用されないため、色むらがＬＥＤの色度変化の影響を受けず、蛍光体の励起効率のみに影響されるため、さらに色むらの少ないバックライト装置を実現することができる。
【００６２】
次に、他の実施の形態について説明する。図１４は他の実施の形態における直下型バックライト装置を用いた液晶表示装置の概略構成を示す断面図である。
【００６３】
本実施の形態においては、波長変換手段として、強度の極大値を有する角度近傍において厚みが厚くなるように構成した波長変換シート２５を用いたものである。
【００６４】
すなわち、図１４に示すように、波長変換シート２５は、ＬＥＤ２の光軸上における厚みｔ１よりもＬＥＤ２の光軸外で、ＬＥＤ２の強度の極大値を有する角度近傍における厚みｔ２の方が厚くなるように構成したものである。ＬＥＤ２の光軸上における波長変換シート２５の厚みがｔ１であり、光軸から離れるにつれてその厚みが薄くなる。そして、色度変化の最も大きい角度においてその厚みがｔ１よりも厚いｔ２となる。ＬＥＤ２の光軸上における厚みｔ１は、各ＬＥＤ２で一致し、波長変換シート２５の膜厚変化はＬＥＤ２の光軸を中心として同心円形状に変化している。
【００６５】
本実施の形態におけるＬＥＤ２において、ミラー層１７を誘電体多層膜で構成すると、光の干渉効果によって強め合う波長と弱め合う波長が存在し、また、ＬＥＤ２の出射角が異なると、図１０に示すように光のスペクトルが異なってしまい、蛍光体の励起効率が低下することから、色むらが発生してしまう。
【００６６】
本実施の形態の構成とすることにより、ＬＥＤ２の青色の光の発光強度に対する黄色の蛍光体膜の発光強度をほぼ等しくすることが可能となり、色むらの少ないバックライト装置とすることができる。
【産業上の利用可能性】
【００６７】
以上のように本発明は、安価で高効率のバックライト装置を提供するとともに、液晶表示装置の画質を向上させる上で有用な発明である。
【符号の説明】
【００６８】
１  直下型バックライト装置
２  ＬＥＤ
３  反射板
４  拡散シート
５，２５  波長変換シート
６  輝度上昇シート
７  液晶パネル
８  ＬＥＤチップ
９  ＬＥＤパッケージ
１０  樹脂
１１  基板
１２  ｎ型コンタクト層
１３  ｎ型クラッド層
１４  発光層
１５  ｐ型クラッド層
１６  ｐ型コンタクト層
１７  ミラー層
１７ａ〜１７ｇ  高屈折率層
１７ｈ〜１７ｍ  低屈折率層
１８，２１，２２  反射層
１９  ｎ型電極
２０  ｐ型電極
２１ａ  金属膜
２３  拡散層
【手続補正２】
【補正対象書類名】特許請求の範囲
【補正対象項目名】全文
【補正方法】変更
【補正の内容】
【特許請求の範囲】
【請求項１】
特定の色の光を発光する発光手段を備え、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とするバックライト装置。
【請求項２】
前記発光手段からの光のうちの一部の光を透過するとともに、前記透過した光と混色することで白色の光となる特定の色の光に変換する波長変換手段とを備えたことを特徴とする請求項１に記載のバックライト装置。
【請求項３】
前記発光ダイオードの拡散層は、前記第１の反射層または第２の反射層と、前記発光層との間に配置したことを特徴とする請求項１に記載のバックライト装置。
【請求項４】
前記発光ダイオードの拡散層は、第２の反射層に前記発光層から発光される光を拡散させる拡散機能を設けることにより構成したものであることを特徴とする請求項１に記載のバックライト装置。
【請求項５】
前記発光ダイオードの第１の反射層は、前記発光層からの光の主波長に対して、出射角が６５度以上に透過率のピークが存在するように構成したことを特徴とする請求項１に記載のバックライト装置。
【請求項６】
前記発光ダイオードの第１の反射層は、誘電体多層膜で構成したことを特徴とする請求項１に記載のバックライト装置。
【請求項７】
前記誘電体多層膜は、屈折率の異なる第１の誘電体および第２の誘電体から構成され、それぞれの光学膜厚は発光層からの光の第１の誘電体および第２の誘電体の中での波長の１／４近傍であることを特徴とする請求項６に記載のバックライト装置。
【請求項８】
前記発光手段は、発光主波長が４３０ｎｍ〜４８０ｎｍの青色の光を発光する青色の発光ダイオードであり、前記波長変換手段は、前記青色の発光ダイオードによって励起されかつ青色の光と混色することで白色の光となる特定色の光を発光する蛍光体膜を有するものである請求項２に記載のバックライト装置。
【請求項９】
前記発光手段は、発光主波長が３５０ｎｍ〜４００ｎｍの紫外の光を発光する発光ダイオードであり、前記波長変換手段は、前記紫外の発光ダイオードによって励起されかつ赤色、青色、緑色の光を発光する蛍光体膜を有するものである請求項２に記載のバックライト装置。
【請求項１０】
前記波長変換手段は、強度の極大値を有する角度近傍において厚みが厚くなるように構成した請求項２に記載のバックライト装置。
【請求項１１】
特定の色の光を発光する発光手段を備えたバックライト装置と、前記バックライト装置からの出射光を背面側から入射し画像を表示する液晶パネルとを備えた液晶表示装置であって、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする液晶表示装置。
【請求項１２】
前記バックライト装置は、前記発光手段から発光される光のうち一部の光を透過するとともに、前記透過した光と混色することで白色の光となる特定の色の光に変換する波長変換手段を備えたことを特徴とする請求項１１に記載の液晶表示装置。
【請求項１３】
前記発光ダイオードの拡散層は、前記第１の反射層または第２の反射層と、前記発光層との間に配置したことを特徴とする請求項１１に記載の液晶表示装置。
【請求項１４】
前記発光ダイオードの拡散層は、第２の反射層に前記発光層から発光される光を拡散させる拡散機能を設けることにより構成したものであることを特徴とする請求項１１に記載の液晶表示装置。
【請求項１５】
透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置したことを特徴とする発光ダイオード。
【請求項１６】
前記拡散層は、前記第１の反射層または第２の反射層と、前記発光層との間に配置したことを特徴とする請求項１５に記載の発光ダイオード。
【請求項１７】
前記拡散層は、第２の反射層に前記発光層から発光される光を拡散させる拡散機能を設けることにより構成したものであることを特徴とする請求項１５に記載の発光ダイオード。
【請求項１８】
前記拡散層は、第２の反射層の表面に光を拡散させるとともに反射させる凹凸構造を設けて構成したことを特徴とする請求項１５に記載の発光ダイオード。
【請求項１９】
前記第１の反射層は、前記発光層からの光の主波長に対して、出射角が６５度以上に透過率のピークが存在するように構成したことを特徴とする請求項１５に記載の発光ダイオード。
【手続補正３】
【補正対象書類名】図面
【補正対象項目名】全図
【補正方法】変更
【補正の内容】
【図１】
2012035759.tif 000019
【図２】
2012035759.tif 000020
【図４】
2012035759.tif 000021
【図６】
2012035759.tif 000022
【図７】
2012035759.tif 000023
【図８】
2012035759.tif 000024
【図９】
2012035759.tif 000025
【図１０】
2012035759.tif 000026
【図１１】
2012035759.tif 000027
【図１２Ａ】
2012035759.tif 000028
【図１２Ｂ】
2012035759.tif 000029
【図１３】
2012035759.tif 000030
【図１４】
2012035759.tif 000031
【図１５】
2012035759.tif 000032
【図３】
2012035759.tif 000033
【図５】
2012035759.tif 000034
【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
特定の色の光を発光する発光手段を備え、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置しており、
前記発光ダイオードの第１の反射層は、前記発光層からの光の主波長に対して、出射角が６５度以上に透過率のピークが存在するように構成したことを特徴とするバックライト装置。
【請求項２】
前記発光手段からの光のうちの一部の光を透過するとともに、前記透過した光と混色することで白色の光となる特定の色の光に変換する波長変換手段とを備えたことを特徴とする請求項１に記載のバックライト装置。
【請求項３】
前記発光ダイオードの拡散層は、前記第１の反射層または第２の反射層と、前記発光層との間に配置したことを特徴とする請求項１に記載のバックライト装置。
【請求項４】
前記発光ダイオードの拡散層は、第２の反射層に前記発光層から発光される光を拡散させる拡散機能を設けることにより構成したものであることを特徴とする請求項１に記載のバックライト装置。
【請求項５】
前記発光ダイオードの第１の反射層は、誘電体多層膜で構成したことを特徴とする請求項１に記載のバックライト装置。
【請求項６】
前記誘電体多層膜は、屈折率の異なる第１の誘電体および第２の誘電体から構成され、それぞれの光学膜厚は発光層からの光の第１の誘電体および第２の誘電体の中での波長の１／４近傍であることを特徴とする請求項５に記載のバックライト装置。
【請求項７】
前記発光手段は、発光主波長が４３０ｎｍ〜４８０ｎｍの青色の光を発光する青色の発光ダイオードであり、前記波長変換手段は、前記青色の発光ダイオードによって励起されかつ青色の光と混色することで白色の光となる特定色の光を発光する蛍光体膜を有するものである請求項２に記載のバックライト装置。
【請求項８】
前記発光手段は、発光主波長が３５０ｎｍ〜４００ｎｍの紫外の光を発光する発光ダイオードであり、前記波長変換手段は、前記紫外の発光ダイオードによって励起されかつ赤色、青色、緑色の光を発光する蛍光体膜を有するものである請求項２に記載のバックライト装置。
【請求項９】
前記波長変換手段は、強度の極大値を有する角度近傍において厚みが厚くなるように構成した請求項２に記載のバックライト装置。
【請求項１０】
特定の色の光を発光する発光手段を備えたバックライト装置と、前記バックライト装置からの出射光を背面側から入射し画像を表示する液晶パネルとを備えた液晶表示装置であって、前記発光手段は、透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置しており、
前記発光ダイオードの第１の反射層は、前記発光層からの光の主波長に対して、出射角が６５度以上に透過率のピークが存在するように構成したことを特徴とする液晶表示装置。
【請求項１１】
前記バックライト装置は、前記発光手段から発光される光のうち一部の光を透過するとともに、前記透過した光と混色することで白色の光となる特定の色の光に変換する波長変換手段を備えたことを特徴とする請求項１０に記載の液晶表示装置。
【請求項１２】
前記発光ダイオードの拡散層は、前記第１の反射層または第２の反射層と、前記発光層との間に配置したことを特徴とする請求項１０に記載の液晶表示装置。
【請求項１３】
前記発光ダイオードの拡散層は、第２の反射層に前記発光層から発光される光を拡散させる拡散機能を設けることにより構成したものであることを特徴とする請求項１０に記載の液晶表示装置。
【請求項１４】
透明な基板上に設けられ特定の波長の光を発光する発光層と、前記発光層に対して光の出射側に形成されかつ前記発光層から発光される光を反射する機能を有する第１の反射層と、前記第１の反射層とで前記発光層を挟むように前記基板側に設けた第２の反射層とを備えた発光ダイオードであって、前記第１の反射層と前記第２の反射層との間に、前記発光層から発光される光を拡散させる拡散層を配置しており、
前記発光ダイオードの第１の反射層は、前記発光層からの光の主波長に対して、出射角が６５度以上に透過率のピークが存在するように構成したことを特徴とする発光ダイオード。
【請求項１５】
前記拡散層は、前記第１の反射層または第２の反射層と、前記発光層との間に配置したことを特徴とする請求項１４に記載の発光ダイオード。
【請求項１６】
前記拡散層は、第２の反射層に前記発光層から発光される光を拡散させる拡散機能を設けることにより構成したものであることを特徴とする請求項１４に記載の発光ダイオード。
【請求項１７】
前記拡散層は、第２の反射層の表面に光を拡散させるとともに反射させる凹凸構造を設けて構成したことを特徴とする請求項１４に記載の発光ダイオード。
【国際調査報告】
2012035759.tif 000035
2012035759.tif 000036
2012035759.tif 000037
2012035759.tif 000038